【手続補正書】
【提出日】平成19年9月25日(2007.9.25)
【手続補正１】
【補正対象書類名】特許請求の範囲
【補正対象項目名】全文
【補正方法】変更
【補正の内容】
【特許請求の範囲】
【請求項１】
様々な形態の複数のコンテンツがユーザ端末において時間的及び空間的関係を有して消費されるように、前記ユーザ端末にコンテンツを提供するコンテンツサービス提供システムであって、
前記コンテンツ情報が含まれたパッケージメタデータに基づいて前記ユーザ端末の使用条件に相応するコンテンツを分析し、前記ユーザ端末に提供されるコンテンツを決定する分析手段と、
該決定されたコンテンツを提供する提供手段と
を備え、
前記パッケージメタデータが、
前記コンテンツの属性を定義するコンポーネントメタデータと、
前記複数のコンテンツの時間的及び空間的関係を定義する関係メタデータと、
前記ユーザ端末の使用条件を定義するターゲッティングコンディションメタデータと
を含むことを特徴とするコンテンツサービス提供システム。
【請求項２】
前記コンポーネントメタデータが、
イメージコンテンツの属性を定義するイメージコンテンツ属性メタデータと、
動画コンテンツの属性を定義する動画コンテンツ属性メタデータと、
オーディオコンテンツの属性を定義するオーディオコンテンツ属性メタデータと
を含むことを特徴とする請求項１に記載のコンテンツサービス提供システム。
【請求項３】
前記イメージコンテンツの属性が、
垂直／水平の大きさ情報を含むことを特徴とする請求項２に記載のコンテンツサービス提供システム。
【請求項４】
前記動画コンテンツの属性が、
符号化情報及び横／縦の大きさ情報を含むことを特徴とする請求項２に記載のコンテンツサービス提供システム。
【請求項５】
前記オーディオコンテンツの属性が、
符号化情報及びチャネル情報を含むことを特徴とする請求項２に記載のコンテンツサービス提供システム。
【請求項６】
前記コンポーネントメタデータが、
前記コンテンツのファイルの大きさが含まれたメディア特性情報をさらに含むことを特徴とする請求項２に記載のコンテンツサービス提供システム。
【請求項７】
前記コンポーネントメタデータが、
前記コンテンツのタイトル（Ｔｉｔｌｅ）情報、叙述的な記述情報（Ｓｙｎｏｐｓｉｓ）、及びキーワード情報を含むコンテンツデスクリプションメタデータをさらに含むことを特徴とする請求項２に記載のコンテンツサービス提供システム。
【請求項８】
前記コンポーネントメタデータが、
アプリケーションプログラムの分類情報を含むアプリケーションプログラム属性メタデータをさらに含むことを特徴とする請求項２に記載のコンテンツサービス提供システム。
【請求項９】
前記関係メタデータが、
前記コンテンツの時間上の消費順序を定義する時間的関係情報と、
前記コンテンツの空間上の消費位置を定義する空間的関係情報と
を含むことを特徴とする請求項１に記載のコンテンツサービス提供システム。
【請求項１０】
前記時間的関係情報が、
ＭＰＥＧ−７  ＭＤＳのＴｅｍｐｏｒａｌＲｅｌａｔｉｏｎ  ＣＳ情報を含むことを特徴とする請求項９に記載のコンテンツサービス提供システム。
【請求項１１】
前記空間的関係情報が、
ＭＰＥＧ−７  ＭＤＳのＢａｓｅＲｅｌａｔｉｏｎ  ＣＳ情報を含むことを特徴とする請求項９に記載のコンテンツサービス提供システム。
【請求項１２】
前記空間的関係情報が、
ＭＰＥＧ−７  ＭＤＳのＳｐａｔｉａｌＲｅｌａｔｉｏｎ  ＣＳ情報を含むことを特徴とする請求項９に記載のコンテンツサービス提供システム。
【請求項１３】
前記ターゲッティングコンディションメタデータが、
前記ユーザ端末のユーザ条件を定義するユーザコンディション情報と、
前記ユーザ端末の条件を定義する端末コンディション情報と、
前記ユーザ端末に接続したネットワークの条件を定義するネットワークコンディション情報と、
前記ユーザ端末が前記コンテンツを消費する周辺環境の条件を定義する自然環境情報と
を含むことを特徴とする請求項１に記載のコンテンツサービス提供システム。
【請求項１４】
前記ユーザコンディション情報が、
ユーザ（人名）情報及び視覚／聴覚障害情報を含むことを特徴とする請求項１３に記載のコンテンツサービス提供システム。
【請求項１５】
前記端末コンディション情報が、
コーデック情報及び装置属性情報を含むことを特徴とする請求項１３に記載のコンテンツサービス提供システム。
【請求項１６】
前記ネットワークコンディション情報が、
ネットワーク容量情報を含むことを特徴とする請求項１３に記載のコンテンツサービス提供システム。
【請求項１７】
前記自然的環境情報が、
前記ユーザ端末が前記コンテンツを消費する位置情報及び時間情報を含むことを特徴とする請求項１３に記載のコンテンツサービス提供システム。
【請求項１８】
前記パッケージメタデータが、
前記コンテンツの位置識別情報であって前記コンテンツの位置を定義するレファレンスメタデータをさらに含むことを特徴とする請求項１に記載のコンテンツサービス提供システム。
【請求項１９】
様々な形態の複数のコンテンツがユーザ端末において時間的及び空間的関係を有して消費され、前記ユーザ端末の使用条件に合わせて消費されるように、前記コンテンツ情報を提供するパッケージメタデータであって、
前記コンテンツの属性を定義するコンポーネントメタデータと、
前記複数のコンテンツの時間的及び空間的関係を定義する関係メタデータと、
前記ユーザ端末の使用条件を定義するターゲッティングコンディションメタデータと
を含むことを特徴とするパッケージメタデータ。
【請求項２０】
前記コンポーネントメタデータが、
イメージコンテンツの属性を定義するイメージコンテンツ属性メタデータと、
動画コンテンツの属性を定義する動画コンテンツ属性メタデータと、
オーディオコンテンツの属性を定義するオーディオコンテンツ属性メタデータと
を含むことを特徴とする請求項１９に記載のパッケージメタデータ。
【請求項２１】
前記イメージコンテンツの属性が、
垂直／水平の大きさ情報を含むことを特徴とする請求項２０に記載のパッケージメタデータ。
【請求項２２】
前記動画コンテンツの属性が、
符号化情報及び横／縦の大きさ情報を含むことを特徴とする請求項２０に記載のパッケージメタデータ。
【請求項２３】
前記オーディオコンテンツの属性が、
符号化情報及びチャネル情報を含むことを特徴とする請求項２０に記載のパッケージメタデータ。
【請求項２４】
前記コンポーネントメタデータが、
前記コンテンツのファイルの大きさが含まれたメディア特性情報を含むことを特徴とする請求項２０に記載のパッケージメタデータ。
【請求項２５】
前記コンポーネントメタデータが、
前記コンテンツのタイトル（Ｔｉｔｌｅ）情報、叙述的な記述情報（Ｓｙｎｏｐｓｉｓ）、及びキーワード情報を含むコンテンツデスクリプションメタデータをさらに含むことを特徴とする請求項２０に記載のパッケージメタデータ。
【請求項２６】
前記コンポーネントメタデータが、
アプリケーションプログラムの分類情報を含むアプリケーションプログラム属性メタデータをさらに含むことを特徴とする請求項２０に記載のパッケージメタデータ。
【請求項２７】
前記関係メタデータが、
前記コンテンツの時間上の消費順序を定義する時間的関係情報と、
前記コンテンツの空間上の消費位置を定義する空間的関係情報と
を含むことを特徴とする請求項１９に記載のパッケージメタデータ。
【請求項２８】
前記時間的関係情報が、
ＭＰＥＧ−７  ＭＤＳのＴｅｍｐｏｒａｌＲｅｌａｔｉｏｎ  ＣＳ情報を含むことを特徴とする請求項２７に記載のパッケージメタデータ。
【請求項２９】
前記空間的関係情報が、
ＭＰＥＧ−７  ＭＤＳのＢａｓｅＲｅｌａｔｉｏｎ  ＣＳ情報を含むことを特徴とする請求項２７に記載のパッケージメタデータ。
【請求項３０】
前記空間的関係情報が、
ＭＰＥＧ−７  ＭＤＳのＳｐａｔｉａｌＲｅｌａｔｉｏｎ  ＣＳ情報を含むことを特徴とする請求項２７に記載のパッケージメタデータ。
【請求項３１】
前記ターゲッティングコンディションメタデータが、
前記ユーザ端末のユーザ条件を定義するユーザコンディション情報と、
前記ユーザ端末の条件を定義する端末コンディション情報と、
前記ユーザ端末に接続したネットワークの条件を定義するネットワークコンディション情報と、
前記ユーザ端末が前記コンテンツを消費する周辺環境の条件を定義する自然環境情報と
を含むことを特徴とする請求項１９に記載のパッケージメタデータ。
【請求項３２】
前記ユーザコンディション情報が、
ユーザ（人名）情報及び視覚／聴覚障害情報を含むことを特徴とする請求項３１に記載のパッケージメタデータ。
【請求項３３】
前記端末コンディション情報が、
コーデック情報及び装置属性情報を含むことを特徴とする請求項３１に記載のパッケージメタデータ。
【請求項３４】
前記ネットワークコンディション情報が、
ネットワーク容量情報を含むことを特徴とする請求項３１に記載のパッケージメタデータ。
【請求項３５】
前記自然的環境情報が、
前記ユーザ端末が前記コンテンツを消費する位置情報及び時間情報を含むことを特徴とする請求項３１に記載のパッケージメタデータ。
【請求項３６】
前記パッケージメタデータが、
前記コンテンツの位置識別情報であって前記コンテンツの位置を定義するレファレンスメタデータをさらに含むことを特徴とする請求項１９に記載のパッケージメタデータ。
【手続補正２】
【補正対象書類名】明細書
【補正対象項目名】全文
【補正方法】変更
【補正の内容】
【発明の詳細な説明】
【発明の名称】パッケージメタデータ及びこれを利用したターゲッティングと同期化サービス提供システム
【技術分野】
【０００１】
本発明は、パッケージメタデータ及びターゲッティングと同期化サービス提供システムに関し、さらに詳細には、ティーブイ・エニータイム（ＴＶ−Ａｎｙｔｉｍｅ）サービスにＭＰＥＧ−２１のＤＩＤ（Ｄｉｇｉｔａｌ  Ｉｔｅｍ  Ｄｅｃｌａｒａｔｉｏｎ）を効率的に適用するためのパッケージメタデータ及びこれを利用したターゲッティングと同期化サービス提供システムに関する。
【背景技術】
【０００２】
ティーブイ・エニータイムフェイズ２のメタデータグループ（ＴＶ−Ａｎｙｔｉｍｅ  Ｐｈａｓｅ  ２  ｏｆ  Ｍｅｔａｄａｔａ  Ｇｒｏｕｐ）であるＣＦＣで標準化作業が進行中であるターゲッティングと同期化サービスは、従来に提案されたユーザ選好度及び新しいタイプのコンテンツ（ビデオ、オーディオ、イメージ、テキスト、ＨＴＭＬ等）を使用する消費環境に適した個人プログラムサービス（Ｐｅｒｓｏｎａｌ  Ｐｒｏｇｒａｍ  Ｓｅｒｖｉｃｅ）と類似概念の技術である（ティーブイ・エニータイム寄稿文書ＡＮ５１５，ＡＮ５２５参照）。
【０００３】
すなわち、ターゲッティングと同期化サービスは、ターミナル、サービス環境、ユーザプロファイルに適するように個人化されたコンテンツサービスを、コンテンツ間の同期を考慮して自動にマッチングするか伝達するサービスを意味する。
【０００４】
前記ターゲッティングと同期化サービスシナリオを詳細に説明すれば、次の通りである。
【０００５】
ＰＤＡ，ＭＰ３プレーヤー、ＤＶＤプレーヤーなどの様々な種類のメディアデバイスと接続したホームネットワーク環境において、家族の各構成員は、自分の好む異なる方式でＡＶプログラムを消費する。
【０００６】
例えば、小学生の最も幼い妹さんは、ＨＤ  ＴＶでシートコメディを視聴することを好む。そして、大学生の大姉さんは、自分の言語能力向上のために、多重言語オーディオストリーム（ｍｕｌｔｉ−ｌｉｎｇｕａｌ  ａｕｄｉｏ  ｓｔｒｅａｍ）を通したＰＤＡでのシートコメディ視聴を好む。
【０００７】
このような人々の消費パターンの差は、ターミナル、ネットワーク、ユーザ、コンテンツタイプなどの多様な環境（条件）に依存する。
【０００８】
そのため、ターミナル、サービス環境、及びユーザプロファイルに適した個人化されたコンテンツサービスから事業をしようとするコンテンツ及びサービス提供者のためには、ターゲッティングサービスが必須である。
【０００９】
また、ＴＶ−Ａｎｙｔｉｍｅ  Ｐｈａｓｅ２では、ユーザが今までの単純な放送用ＡＶだけではなく、ビデオ、オーディオ、動画、ＨＴＭＬ、アプリケーションプログラムなどの様々な形態のコンテンツを消費できるようにする。
【００１０】
互いに異なる形態のコンテンツは、それぞれ独立したコンテンツをなすこともできるが、相互間の時間的、空間的、選択的関係を有すれば、１つのコンテンツをなすこともできる。後者の場合、複数のコンテンツ間の時間的関係を記述して各コンテンツの消費時点を記述する同期化サービスは、ユーザが該当コンテンツを他のユーザと同様に、または数回の使用にも関わらず一貫性あるようにパッケージの形態で消費できるようにするのに必須的なものである。
【００１１】
このようなティーブイ・エニータイムのターゲッティング及び同期化サービスのためのメタデータの実現に、ＭＰＥＧ−２１  ＤＩＤ構造を活用する方案が論議されている。
【００１２】
図１は、従来のＭＰＥＧ−２１  ＤＩＤの全体スキーマ構造であり、図２は、前記従来のＭＰＥＧ−２１  ＤＩＤにより構成したＤＩ（Ｄｉｇｉｔａｌ  Ｉｔｅｍ）の一例を示す。
【００１３】
同図に示すように、１６個の要素で定義されたＭＰＥＧ−２１のＤＩＤ要素は、図２と同様に、互いに異なる種類のメディア（例えば、音楽メディア（ｍｐ３）及びイメージメディア（ｊｐｇ））からなるＤＩを構成することができる。
【発明の開示】
【発明が解決しようとする課題】
【００１４】
このようなＭＰＥＧ−２１  ＤＩＤの基本構造は、前記ティーブイ・エニータイムのターゲッティングと同期化サービスのためのパッケージメタデータの実現に有用に利用され得るが、ＭＰＥＧ−２１のＤＩＤ要素は、ティーブイ・エニータイムサービスに適用するには、あまりにも包括的という問題がある。
【００１５】
したがって、効果的な方法のターゲッティングと同期化サービスのためのティーブイ・エニータイムシステムにおいて、ＤＩＤをさらに具体的に補充するパッケージメタデータの実現が要求される。
【００１６】
すなわち、パッケージ及び構成要素の識別に対して、コンポーネントの時間的空間的構成及び相互関連に用いられる構成要素間の関係が具体化されなければならない。また、ターゲットとなるサービスを使用する使用環境を記述する条件に対するメタデータが具体化されなければならず、各コンポーネントの類型別情報を記述するメタデータの具体的実現が求められる。
【課題を解決するための手段】
【００１７】
本発明は、様々な形態の複数のコンテンツがユーザ端末において時間的及び空間的関係を有して消費されるように、前記ユーザ端末にコンテンツを提供するコンテンツサービス提供システムであって、前記コンテンツ情報が含まれたパッケージメタデータに基づいて前記ユーザ端末の使用条件に相応するコンテンツを分析し、前記ユーザ端末に提供されるコンテンツを決定する分析手段と、該決定されたコンテンツを提供する提供手段とを備え、前記パッケージメタデータが、前記コンテンツの属性を定義するコンポーネントメタデータと、前記複数のコンテンツの時間的及び空間的関係を定義する関係メタデータと、前記ユーザ端末の使用条件を定義するターゲッティングコンディションメタデータとを含むことを特徴とする。
【００１８】
また、本発明は、様々な形態の複数のコンテンツがユーザ端末において時間的及び空間的関係を有して消費され、前記ユーザ端末の使用条件に合わせて消費されるように、前記コンテンツ情報を提供するパッケージメタデータであって、前記コンテンツの属性を定義するコンポーネントメタデータと、前記複数のコンテンツの時間的及び空間的関係を定義する関係メタデータと、前記ユーザ端末の使用条件を定義するターゲッティングコンディションメタデータとを含むことを特徴とする。
【発明の効果】
【００１９】
上記のような本発明は、パッケージと構成要素との間の識別、時間的かつ空間的で相互作用的な構成要素間の関係に対する明示、ターゲッティングと同期化サービスのために用いられた環境を記述するメタデータの条件に対する明示、それぞれの構成要素のために記述されたメタデータを具体化することによって、ＭＰＥＧ−２１  ＤＩＤをティーブイ・エニータイムサービスに效果的に適用できるという効果がある。
【００２０】
また、本発明は、ターゲッティングと同期化サービスのためのパッケージメタデータ及びこれを利用したターゲッティングと同期化サービス提供システムを提供できるという効果がある。
【００２１】
また、本発明は、ＭＰＥＧ−２１  ＤＩＤを活用してパッケージメタデータを実現することによって、ＭＰＥＧ環境から効率的にターゲッティングと同期化サービスを提供できるという効果がある。
【発明を実施するための最良の形態】
【００２２】
上述した目的、特徴及び長所は、添付した図面と関連する次の詳細な説明を通じてより明確になるはずであり、それにより本発明が属する技術分野における通常の知識を有する者が本発明の技術的思想を容易に実施できるであろう。また、本発明を説明するにおいて、本発明と関連した公知技術に対する具体的な説明が本発明の要旨を不要に不明にする恐れがあると判断される場合、その詳細な説明を省略する。以下、添付した図面を参照して、本発明の好ましい実施形態を詳細に説明する。それに先立って、本明細書及び請求範囲に用いられた用語や単語は通常又は辞書的意味に限定して解析してはならず、発明者は、自分の発明を最も最良の方法で説明するために、用語の概念を適切に定義することができるという原則に立って、本発明の技術的思想に符合する意味と概念と解釈されなければならない。
【００２３】
したがって、本明細書に記載の実施形態と図面に示された構成は、本発明の最も好ましい一実施形態に過ぎず、本発明の技術的思想を全て反映するものではないので、本出願時点において、これらを代替できる様々な均等物と変形例があり得ることを理解しなければならない。
【００２４】
図３は、本発明に係るターゲッティングと同期化サービス提供システムの一実施形態の構成図である。
【００２５】
同図に示すように、本発明に係るターゲッティングと同期化サービス提供システムは、ターゲッティングと同期化サービス提供者１０、コンテンツサービス提供者２０、リターンチャネルサーバ３０、及びＰＤＲ（Ｐｅｒｓｏｎａｌ  Ｄｉｇｉｔａｌ  Ｒｅｃｏｒｄｅｒ）４０を備える。
【００２６】
ターゲッティングと同期化サービス提供者１０は、マルチデバイスを有するホームネットワーク環境におけるターゲッティングと同期化サービスを管理し、ターゲッティングと同期化サービスを提供する。
【００２７】
また、コンテンツサービス提供者２０から個人用大容量格納装置であるＰＤＲ４０を介してホームデバイスそれぞれに伝達されなければならないコンテンツまたはコンポーネントの種類を決定する重要かつ基本的な情報であるターゲッティングと同期化のためのメタデータである本発明に係るパッケージメタデータを受信する。
【００２８】
パッケージメタデータは、一連の条件情報と各条件に適したコンテンツとコンポーネント情報を記述し、パッケージメタデータに相応する実際コンテンツとコンポーネントは、コンテンツサービス提供者２０または他のリターンチャネルサーバ３０により提供される。
【００２９】
一方、ターゲッティングと同期化サービス提供者１０は、格納部１１、サービス分析機１２、及びサービス制御機１３を備える。
【００３０】
格納部１１は、コンテンツ及びパッケージメタデータをコンテンツサービス提供者２０から受信して格納する。
【００３１】
サービス分析機１２は、ＰＤＲ４０から多様なターミナル及びユーザ条件を受信するパッケージメタデータを分析して、入力条件にマッチされるコンテンツまたはコンポーネントを決定する。この時、入力条件に適するように選択されたコンテンツやコンポーネントは、単に一つまたは複数であり得る。
【００３２】
サービス制御機１３は、ＰＤＲ４０にアトラクティブメタデータ、コンテンツまたはコンポーネント識別情報を提供する。
【００３３】
ターゲッティングと同期化サービス分析結果が複数のコンテンツやコンポーネントである時、ＰＤＲユーザは、前記アトラクティブメタデータを基準に最も好むコンテンツやコンポーネントを選択し、そのコンテンツやコンポーネントを消費する。
【００３４】
以下、前記パッケージ及びコンポーネントの識別方法について説明する。
【００３５】
パッケージは、興味のあるメタデータとビデオ、オーディオ、イメージ、アプリケーションプログラムなどの様々な形態のマルチメディアコンテンツなどからなり、パッケージの位置を決定する過程は次の通りである。
【００３６】
パッケージが探索過程で選択されれば、パッケージのＩＤがパッケージの位置を決定する過程に伝達される。コンテンツ獲得の後に終了する一般的なコンポーネントの決定過程とは異なり、パッケージ位置決定は、パッケージメタデータを獲得するステップ以後に関連されて用いられた環境の中で適切なコンポーネントを選択するステップ及び選択されたコンポーネントの位置を決定するステップをさらに経なければならない。
【００３７】
前記パッケージ位置決定ステップ、適切なコンポーネントを選択するステップ、及び選択されたコンポーネントの位置を決定するステップは、それぞれ異なる変数で異なるモジュールで行われる。パッケージの位置を決定する過程は、単にパッケージのメタデータを取って、ティーブイ・エニータイムメタデータのためのミドルウェア（ｍｉｄｄｌｅｗａｒｅ）に送信するため、パッケージを決定する要素が如何なるものであるかが分からなくてもよい。したがって、パッケージのＩＤは、コンテンツのＩＤのようなＣＲＩＤとなり得る。
【００３８】
下記の表１は、パッケージの識別情報をＣＲＩＤで実現したＸＭＬ構文を表す。
【表１】
2007507155.tif 000001
【００３９】
図４は、本発明の好ましい一実施形態に係るコンポーネント識別情報のトリー構造図である。
【００４０】
同図に示すように、本発明に係るコンポーネント識別情報は、ｉｍｉ，ＣＲＩＤ及び位置決定子（Ｌｏｃａｔｏｒ）を含む。
【００４１】
ユーザの調整なしでコンポーネントの位置決定を自動にするために、コンポーネントは他のものと同様に、異なるビット表現を有する同じメディアの利点の識別を許諾する識別子を持たなければならず、このようなコンポーネントの識別情報として任意の識別子であるｉｍｉと共にＣＲＩＤが用いられることができる。
【００４２】
各コンテンツに基づいて位置従属的なバージョンを得るために、任意の識別子ｉｍｉは、それぞれの位置決定子（ｌｏｃａｔｏｒ）に割り当てられ、記述されたメタデータに表される。
【００４３】
内容の位置が変わる時に位置決定子も変わる。しかしながら、識別子は変わらない。メタデータの識別子は、ひたすら位置決定過程によって再生された情報を有したメタデータにリンクして使用するＣＲＩＤの有効範囲内で唯一に保証される。
【００４４】
下記の表２は、本発明に係るコンポーネント識別情報の使用例をＸＭＬで実現したものであって、下記の表３は、上述したパッケージ及びコンポーネントの決定過程を表したものである。
【表２】
2007507155.tif 000002
【表３】
2007507155.tif 000003
【００４５】
以下では、ターゲッティングと同期化サービスのための本発明に係るパッケージメタデータについて詳述する。但し、上述したＭＰＥＧ−２１  ＤＩＤの構成要素と同じ名前で同じ機能を果たす要素については、説明を省略することができる。
【００４６】
図５は、本発明に係るパッケージメタデータの一実施形態の構造図である。
【００４７】
同図に示すように、本発明に係るパッケージメタデータ（ＰａｃｋａｇｅＤｅｓｃｉｐｔｉｏｎ）は、パッケージ情報テーブル（ＰａｃｋａｇｅＩｎｆｏｒｍａｔｉｏｎ  Ｔａｂｌｅ）及びパッケージテーブル（Ｐａｃｋａｇｅ  Ｔａｂｌｅ）を含む。
【００４８】
前記パッケージ情報テーブル（ＰａｃｋａｇｅＩｎｆｏｒｍａｔｉｏｎ  Ｔａｂｌｅ）は、パッケージに対してタイトル、要約説明、パッケージＩＤなどの個別パッケージに対する記述情報を提供し、ユーザがこれらの情報を通じて消費しようとするパッケージを選択することができ、選択したパッケージが獲得可能であるか否かを確認することができるようにする。
【００４９】
前記パッケージテーブル（Ｐａｃｋａｇｅ  Ｔａｂｌｅ）は、コンポーネントの多様な組み合わせであって、ユーザの経験を広げることのできるコンポーネントの集まりであるパッケージの集合を意味し、コンテナ（Ｃｏｎｔａｉｎｅｒ）メタデータにより記述される。
【００５０】
ここで、前記コンテナメタデータは、記述子（Ｄｅｓｃｒｉｐｔｏｒ）、レファレンス（Ｒｅｆｅｒｅｎｃｅ）及びアイテム（Ｉｔｅｍ）を含む。
【００５１】
前記アイテムは、コンポーネントの組み合わせであって、アイテムまたはコンポーネントを再帰的に含むことができ、前記レファレンスは、上述したようなパッケージ及びコンポーネントの識別情報であって、アイテム、コンポーネントなどの要素の位置を記述する。
【００５２】
また、前記記述子は、コンテナに対する記述情報であって、コンディション（Ｃｏｎｄｉｔｉｏｎ）、記述子（Ｄｅｓｃｒｉｐｔｏｒ）、レファレンス（Ｒｅｆｅｒｅｎｃｅ）、コンポーネント（Ｃｏｍｐｏｎｅｎｔ）、ステートメント（Ｓｔａｔｅｍｅｎｔ）、関係（Ｒｅｌａｔｉｏｎ）メタデータ、コンポーネント（Ｃｏｍｐｏｎｅｎｔ）メタデータ、及びターゲッティングコンディション（ＴａｒｇｅｔｉｎｇＣｏｎｄｉｔｉｏｎ）メタデータを含む。
【００５３】
以下、前記コンポーネントメタデータについて説明する。
【００５４】
前記コンポーネントメタデータは、識別情報、コンポーネントの一般事項を記述するコンポーネントデスクリプションメタデータとコンポーネントの種類に応じて、イメージコンポーネントメタデータ、動画コンポーネントメタデータ、オーディオコンポーネントメタデータ、及びアプリケーションプログラムコンポーネントメタデータを含む。
【００５５】
前記識別情報は、上述したように、ＣＲＩＤ、ｉｍｉ及び位置決定子（Ｌｏｃａｔｏｒ）を含む。
【００５６】
前記コンポーネントデスクリプション（ＢａｓｉｃＤｅｓｃｒｉｐｔｉｏｎ）メタデータは、コンポーネントの一般事項を記述する項目を定義する複合構造であって、コンポーネントのタイトル（Ｔｉｔｌｅ）、コンポーネントに対する叙述的な記述情報（Ｓｙｎｏｐｓｉｓ）、キーワード（コンポーネントに対するキーワードの組み合わせ、単数または複数のキーワードが可能で、ティーブイ・エニータイムフェイズ１のキーワードタイプに従う）等の一般事項を記述する情報を含む。
【００５７】
前記イメージコンポーネント（ＩｍａｇｅＣｏｍｐｏｎｅｎｔＴｙｐｅ）メタデータは、イメージコンポーネントの特性を記述する要素を定義する複合構造であって、ファイルの大きさのようなイメージのメディア関連特性及びコードフォーマット、垂直／水平画面の大きさなどのスチールイメージ特性（ＳｔｉｌｌＩｍａｇｅＡｔｔｒｉｂｕｔｅｓ）情報を記述する。
【００５８】
下記の表４は、前記イメージコンポーネントメタデータの一実施形態であって、７０２×２４０ｇｉｆイメージ及び関連したｈｔｍｌ文書をＸＭＬで実現したものである。
【表４】
2007507155.tif 000004
【００５９】
前記動画コンポーネントメタデータは、動画コンポーネントの特性を記述する要素を定義する複合構造であって、ファイルの大きさのような動画のメディア関連特性、コードフォーマット、チャネルのような動画のオーディオ関連特性、コードフォーマット、垂直／水平画面の大きさのような動画のイメージ関連特性及びビットレートなどの動画の動き映像関連特性情報を記述する。
【００６０】
前記オーディオコンポーネントメタデータは、オーディオコンポーネントの特性を記述する要素を定義する複合構造であって、ファイルの大きさのようなオーディオのメディア関連特性、コードフォーマット、チャネルのようなオーディオ関連特性情報を記述する。
【００６１】
前記アプリケーションプログラムコンポーネントメタデータは、アプリケーションプログラムコンポーネントの特性を記述する要素を定義する複合構造であって、アプリケーションプログラムの分類情報及びファイルの大きさのようなアプリケーションプログラムのメディア関連特性情報を記述する。
【００６２】
以下、前記関係メタデータについて説明する。
【００６３】
前記関係メタデータは、コンポーネント、アイテム、またはコンポーネント及びアイテム間の構成及び同期化（ｓｙｎｃｈｒｏｎｉｚａｔｉｏｎ）のために、ＣＳ（Ｃｌａｓｓｉｆｉｃａｔｉｏｎ  Ｓｃｈｅｍｅｓ）を用いてアイテム／コンポーネント間の時間的（Ｔｔｅｍｐｏｒａｌ）、空間的（ｓｐａｔｉａｌ）関係を記述するための情報である。
【００６４】
ＣＳに予め定義された用語を使用することによって、定義されたコンポーネント、アイテム、またはコンポーネントとアイテムとの「関係」は、ＳＭＩＬ，ＸＭＴ-０とＢＩＦＳのような全体シーン記述で求められる正確な空間的構成及び同期化を表現するよりは、どのようにコンポーネント、アイテム、またはコンポーネント及びアイテムが抽象的なレベルで消費されることができるかを表現するのに用いられる。
【００６５】
例えば、あるコンポーネントに対し、時間的関係の用語「ｐｒｅｃｅｄｅｓ」を使用することによって、全体シーン記述なしで、当該コンポーネントが他のコンポーネントよりも先に消費されなければならないことが表現され得る。
【００６６】
特に、ターゲッティングと同期化サービスのために、関係メタデータは、コンポーネント、アイテム、またはコンポーネント及びアイテム間の時間上の消費順序を通知するための時間的関係及び表示（ｐｒｅｓｅｎｔａｔｉｏｎ）上（例えば、ユーザインタフェース）の相対的位置を通知するための空間的関係を含む。
【００６７】
前記関係メタデータは、ＭＰＥＧ−７（ＭＰＥＧ−７  ＭＤＳ，Ｍｕｌｔｉｍｅｄｉａ  Ｄｅｓｃｒｉｐｔｉｏｎ  Ｓｃｈｅｍｅ）に定義された「関係」の概念に基づいて再定義したものである。
【００６８】
ＭＰＥＧ−７  ＭＤＳは、３種類の「関係」、すなわち、「ＢａｓｅＲｅｌａｔｉｏｎ  ＣＳ」、「ＴｅｍｐｏｒａｌＲｅｌａｔｉｏｎ  ＣＳ」、及び「ＳｐａｔｉａｌＲｅｌａｔｉｏｎ  ＣＳ」を定義している。
【００６９】
前記「ＢａｓｅＲｅｌａｔｉｏｎ  ＣＳ」を詳説すれば、「ＢａｓｅＲｅｌａｔｉｏｎ  ＣＳ」は、「位相的（ｔｏｐｏｌｏｇｉｃａｌ）関係」を定義する。下記の表５に記載された通り、前記「位相的関係」は、「コンテイン（ｃｏｎｔａｉｎ）」と「タッチ（ｔｏｕｃｈ）」を含む。
【００７０】
前記「位相的関係」は、構成要素の幾何学的（ｇｅｏｍｅｔｒｉｃａｌ）位置を表現できるため、空間的関係として「位相的関係」を使用することは有用である。したがって、下記の表５の「ｅｑｕａｌｓ」から「ｓｅｐａｒａｔｅｄ」までの「関係」が精製（ｒｅｆｉｎｅｍｅｎｔ）されて、前記関係メタデータの空間的関係に追加される。
【表５】
2007507155.tif 000005
【表６】
2007507155.tif 000006
【００７１】
一方、前記「ＴｅｍｐｏｒａｌＲｅｌａｔｉｏｎ  ＣＳ」を詳説すれば、以下の通りである。
【００７２】
下記の表７と表８は、時間的関係を定義する。
【００７３】
表７には、バイナリ（ｂｉｎａｒｙ）時間関係が説明されており、表８には、エンナリ（ｎ−ａｒｙ）時間関係が説明されている。
【００７４】
表７のそれぞれの項目は、「関係」の名称と数学的に「逆関係」の名称を識別し、前記関係の属性を記述し、その使用例を表す。
【００７５】
表８のそれぞれの項目は、「関係」の名称を識別し、数学的に関係を定義し、使用例を表す。
【００７６】
前記関係メタデータの時間的関係は、［ＴｅｍｐｏｒａｌＲｅｌａｔｉｏｎ  ＣＳ］を含み、下記の表９により拡張され得る。
【表７】
2007507155.tif 000007
【表８】
2007507155.tif 000008
【表９】
2007507155.tif 000009
【００７７】
一方、前記［ＳｐａｔｉａｌＲｅｌａｔｉｏｎ  ＣＳ］を詳説すれば、以下の通りである。
【００７８】
下記の表１０は、ＭＰＥＧ−７  ＭＤＳの「ＳｐａｔｉａｌＲｅｌａｔｉｏｎ  ＣＳ」を定義する。
【００７９】
下記の表１０のそれぞれの項目は、関係及びその逆の関係の名称を識別し、数学的な関係を定義し、その付加的属性を記述し、その使用例を表す。
【００８０】
下記の表１０において「ｓｏｕｔｈ」から「ｏｖｅｒ」までの関係は、ＭＰＥＧ−７  ＭＤＳの「ＳｐａｔｉａｌＲｅｌａｔｉｏｎ  ＣＳ」に基づくものである。そして、下記の表１０において「ｅｑｕａｌｓ」から「ｓｅｐａｒａｔｅｄ」までの関係は、前記「ＢａｓｅＲｅｌａｔｉｏｎ  ＣＳ」から追加されたものである。前記関係メタデータの時間的関係は、前記［ＳｐａｔｉａｌＲｅｌａｔｉｏｎ  ＣＳ］を含み、付加的必要により拡張され得る。
【表１０】
2007507155.tif 000010
【００８１】
2007507155.tif 000011
【００８２】
以下、前記ターゲッティングコンディションメタデータについて説明する。
【００８３】
本発明に係るターゲッティングコンディションメタデータは、ターゲッティングのために、使用環境に応じるアイテム／コンポーネントの自動選択を支援するための使用環境条件を記述するための情報である。
【００８４】
本発明に係るターゲッティングコンディションメタデータを説明するに先立ち、本発明において概念的に利用するＭＰＥＧ−２１のＤＩＡ構造についてまず説明する。
【００８５】
与えられた使用環境により適合し、効率的なユーザ経験を提供するターゲッティングサービスのために、パッケージは端末条件、ユーザ条件、コンテンツ条件などの一連の使用環境メタデータを含まなければならない。このような使用環境メタデータは、関連した構成要素を正確に消費するのに必要な使用環境の条件を表すために、複数の構成要素と関連されるはずである。ＭＰＥＧ−２１  ＤＩＡ構造を詳説すれば、次の通りである。
【００８６】
たとえ、使用環境を記述する標準化されない多くのメタデータがあるが、ＭＰＥＧ−２１  ＤＩＡの使用環境記述ツール（Ｕｓａｇｅ  Ｅｎｖｉｒｏｎｍｅｎｔ  Ｄｅｓｃｒｉｐｔｉｏｎ  Ｔｏｏｌ）は、伝送、格納、及び消費のためのデジタルアイテムの適応的変換（ａｄａｐｔａｔｉｏｎ）を提供するために、様々な属性に対する豊富な記述情報を提供する。
【００８７】
図６は、ＭＰＥＧ−２１  ＤＩＡの使用環境記述ツール（Ｕｓａｇｅ  Ｅｎｖｉｒｏｎｍｅｎｔ  Ｄｅｓｃｒｉｐｔｉｏｎ  Ｔｏｏｌ）を示した図である。
【００８８】
同図に示すように、前記ツールは、ユーザ特性（ＵｓｅｒｓＴｙｐｅ）、端末特性（ＴｅｒｍｉｎａｌｓＴｙｐｅ）、ネットワーク特性（ＮｅｔｗｏｒｋｓＴｙｐｅ）、及び自然的環境特性（ＮａｔｕｒａｌＥｎｖｉｒｏｎｍｅｎｔｓＴｙｐｅ）を含む。
【００８９】
前記ユーザ特性は、通常のユーザ情報、ユーザ選好度（ｕｓｅｒ  ｐｒｅｆｅｒｅｎｃｅ）、使用履歴（ｕｓａｇｅ  ｈｉｓｔｏｒｙ）と表示選好度（ｐｒｅｓｅｎｔａｔｉｏｎ  ｐｒｅｆｅｒｅｎｃｅ）、接近特性（ａｃｃｅｓｓｉｂｉｌｉｔｙ  ｃａｒａｃｔｅｒｉｓｔｉｃ）、移動特性（ｍｏｂｉｌｉｔｙ  ｃｈａｒａｃｔｅｉｓｔｉｃｓ）と目的地（ｄｅｓｔｉｎａｔｉｏｎ）を含む、様々なユーザ特性を記述する。
【００９０】
前記端末特性は、広範囲に様々な種類の属性により定義される。例えば、端末特性は、符号化及び復号化容量を含むコーデック容量、電源、格納手段及びデータ入出力手段特性を含む装置属性及び表示及びオーディオ出力容量を含む入力−出力特性などにより定義される。
【００９１】
前記ネットワーク特性は、利用可能な帯域幅、遅延とエラー特性を含むネットワーク容量及び条件により、ネットワーク特性を説明する。このような記述は、リソースの有用で強力な伝送のために用いられることができる。
【００９２】
前記自然的環境特性は、オーディオ／ビジュアルアスペクトに対する特性のみでなく、位置及びデジタルアイテムの使用時間を含む自然的使用環境を説明する。ビジュアルアスペクトのために、ビジュアル情報の表示を感知する影響を与えることのできる照明特性が説明されており、オーディオアスペクトのために、騷音レベルと騷音周波数スペクトルの技術が説明されている。
【００９３】
本発明に係るターゲッティングコンディションメタデータは、上述したようなＭＰＥＧ−２１  ＤＩＡの前記ツールの特性情報を含み、拡張した構造を有する。
【００９４】
図５に示すように、本発明に係るターゲッティングコンディションメタデータは、使用環境に応じるアイテム／コンポーネントの自動選択を支援するための使用環境条件を記述するためのメタデータであって、ユーザ選好度、使用履歴、ユーザ（人名）情報、視覚／聴覚障害情報が含まれたユーザ環境を記述するユーザコンディション（Ｕｓｅｒ  Ｃｏｎｄｉｔｉｏｎ）メタデータ、ターミナル環境を記述するためのターミナルコンディション（Ｔｅｒｍｉｎａｌ  Ｃｏｎｄｉｔｉｏｎ）メタデータ、ターミナルに接続したネットワーク環境を記述するためのネットワークコンディション（Ｎｅｔｗｏｒｋ  Ｃｏｎｄｔｉｏｎ）メタデータ、及びターミナルの位置などの自然的環境を記述するための自然環境コンディション（Ｎａｔｕｒａｌ  Ｅｎｖｉｒｏｎｍｅｎｔ  Ｃｏｎｄｉｔｉｏｎ）メタデータを含む。
【００９５】
下記の表１１は、本発明に係るターゲッティングコンディションメタデータを利用した一実施形態をＸＭＬで実現したものである。
【表１１】
2007507155.tif 000012
【００９６】
前記表１１の例において、「ＴａｒｇｅｔｉｎｇＣｏｎｄｉｔｉｏｎ」は、ウェーブ（ｗａｖ）ファイルフォーマットを復号化できる端末を指示するユーザ端末の記述的（ｄｅｓｃｒｉｐｔｉｖｅ）メタデータを含む。
【００９７】
図７は、本発明に係るパッケージメタデータのさらに他の一実施形態の構造図である。
【００９８】
本発明に係るパッケージメタデータは、同図に示したものと同様の構造を有することができる。
【００９９】
同図の実施形態の各構成要素が意味する内容と前記図５の実施形態において上述した同じ名称の構成要素それぞれが意味する内容が同じであることは言うまでもない。
【０１００】
図８は、本発明の好ましい一実施形態に係るパッケージメタデータを利用した教育用パッケージに対する使用例を示す図である。
【０１０１】
ＰＤＡ，ＭＰ３プレーヤー、ＤＶＤプレーヤーのような様々な家電機器が互いに接続したホームネットワーク環境において、ユーザは英語学習のためにＣＮＮニュースを視聴すると仮定する。ユーザは、ニュース内容の中で逃したり、難しい構文があったりする時、参照識別子を利用しニュースコンテンツに接続した付加的な教育用データを参考にすることができる。
【０１０２】
教育用データ、特に言語教育のための教育用データは、図８に示すように、メディア再生機、繰り返しボタン、構文に対するスクリプター、正確な聞き取りのための注意事項、文法、辞書などの多数のマルチメディアコンポーネントを有するパッケージで提供されることができる。
【０１０３】
パッケージを構成する全てのコンポーネントは、ユーザが消費する前にＰＤＲに格納されなければならず、全てのコンポーネントが使用可能な場合、ユーザは入力装置を通じてユーザターミナル上のユーザインタフェースにレンダリングされたパッケージと相互作用する。   
上述したような本発明の方法は、プログラムで実現されて、コンピュータで読み取ることのできる形態で記録媒体（ＣＤ−ＲＯＭ、ＲＡＭ、ＲＯＭ、フロッピーディスク、ハードディスク、光磁気ディスク等）に格納されることができる。このような過程は、本発明が属する技術分野における通常の知識を有する者が容易に実施できるので、もうこれ以上の詳細な説明はしないこととする。
【０１０４】
以上で説明した本発明は、本発明が属する技術分野における通常の知識を有する者にとって、本発明の技術的思想から外れない範囲内で様々な置き換え、変形及び変更が可能なので、上述した実施形態及び添付した図面により限定されるものではない。
【図面の簡単な説明】
【０１０５】
【図１】従来のＭＰＥＧ−２１  ＤＩＤの全体シェーマ構造である。
【図２】従来のＭＰＥＧ−２１  ＤＩＤにより構成したＤＩ（Digital Item）の一例である。
【図３】本発明に係るターゲッティングと同期化サービス提供システムの一実施形態の構成図である。
【図４】本発明の好ましい一実施形態に係るコンポーネント識別情報のトリー構造図である。
【図５】本発明に係るパッケージメタデータの一実施形態の構造図である。
【図６】ＭＰＥＧ  ２１  ＤＩＡの使用環境記述ツールを示した図である。
【図７】本発明に係るパッケージメタデータのさらに他の実施形態の構造図である。
【図８】本発明の好ましい一実施形態に係るパッケージメタデータを利用した教育用パッケージに対する使用例を示した図である。
【符号の説明】
【０１０６】
１０      ターゲッティングと同期化サービス提供者
２０      コンテンツサービス提供者
３０      リターンチャネルサーバ
４０      ＰＤＲ
１１      格納部
１２      サービス分析機
１３      サービス制御機